(57)【特許請求の範囲】
【請求項１】
不透水性の単一下層シート、該下層シートに複数を平行に配置して一側片を下層シートに接合すると共に他側片を隣接同士で接合する不透水性の上層シート、該上層シートの下層シートとの接合部と上層シートの隣接同士の接合部間に形成される複数の流れ隔壁、該流れ隔壁間に配置されて外力による破損を防止するための中間材、下層シートと上層シートとの側面端部を接合して構成される平行な複数の区分域、隣接する流れ隔壁同士の対角位置に形成されて区分域を連通する開口及び最初の区分域と最終の区分域に在って下層シートに設置される送還配管口から構成されることを特徴とする廃棄物処分場の遮水シート。
【請求項２】
下層シートに設置される送還配管口が、最初の区分域および最後の区分域それぞれの開口との対角線上に配置されることを特徴とする請求項１に記載の廃棄物処分場の遮水シート。
【請求項３】
請求項１又は２に記載の廃棄物処分場の遮水シートを施工する施工法であって、送還配管口を設置する不透水性の単一下層シートに複数の不透水性の上層シートを平行に配列し、該上層シートの一側片を下層シートに接合し、接合した該上層シートと下層シートとの間に外力による破損を防止するための中間材を配置した後に上層シートの他側片を若干の余裕を持たせながら隣接する上層シートに接合することで平行な複数の流れ隔壁を形成するとともに、隣接する流れ隔壁同士の対角位置に開口を形成し、しかる後に下層シートと上層シートの側面端部を接合して連通する複数の区分域を構成することを特徴とする廃棄物処分場の遮水シートの施工法。
【発明の詳細な説明】
【０００１】
【発明の属する技術分野】
本発明は、廃棄物処分場の遮水シートとその施工法に関し、特に、単一の遮水シート材を現地で切断しながら互いに接合することによって所望の遮水シートを廃材が発生しない状態で容易に施工できる廃棄物処分場の遮水シートとその施工法に関する。
【０００２】
【従来の技術】
産業廃棄物や一般廃棄物を埋立する廃棄物処分施設では、処分施設からの漏出汚水が地下に浸透して環境汚染を引き起こさないように、処分施設の底面に遮水工事を実施することが義務付けられており、かかる遮水工事は、軟質の合成樹脂系あるいはゴム系の遮水シートを敷設する方法が採用されているが、遮水シートの接合不良や廃棄物の埋め立て作業中や埋め立て完了後に発生する遮水シートの破損による欠損箇所からの汚水が外部に漏出する恐れがあった。
【０００３】
遮水シートの材料として、合成ゴム系、軟質の合成樹脂系その他高分子材料から成る遮水材料の他、アスファルト、ゴムアスファルト、粘土ライニング等による層状遮水材料あるいはルーフィングに用いられるシート状遮水材が用いられているが、遮水シートの形態としても、一枚もののシートでなく複数の接合によって縦横に継ぎ合わされて単層の形態に構成する一般例や、欠損部の検知を図る機構も含めて広い範囲の下層シートの上に複数の狭い範囲の上層シートを接合することによって復層の遮水シートを構成する例（特開平２−１３６４１４号公報、特許第２９６０８２１号公報参照）が提案されている。
【０００４】
しかるに、遮水シートの破損要因は、物理・化学的な破損や生物的破損と広範囲に及んでおり、完全に防止することが困難なことから有効な対策は未だに確立されていない。このために、シートの破損を検知して修復する技術の開発が行われ、検知方法に関しては種々の提案がなされて精度的にも有効な技術として実用に至っているが、シートの修復技術に関しては、（１）破損部周辺に薬液注入をする間接的な修復や廃棄物を掘削して破損部を直接的に修復するものは、シートの破損部を早期に検知しても、廃棄物からの浸出水が廃棄物処分施設の外部に流出したあとに修復するので、その間に発生する環境汚染を防止出来ない、（２）空間部を有するシートを採用した廃棄物処分施設の補修に関しても、セメント等のグラウト注入等によって漏水部分の補修を行うことから、注入した空間部のすべてが固化して、同区間で次の漏水が起ると検知機構が作動しない等の問題が残っていた。
【０００５】
そこで、シートの修復作業を無くするために、空間部を有するシートの採用が多くなっているが、空間部を有する遮水シートの作成は、加工時における遮水シートの接合不良、廃棄物の埋め立て作業中や埋め立て完了後に外力による遮水シートの破損によって汚水が欠損箇所から外部に漏出させないように、遮水シートの施工時において良好な接合を図ったり、遮水シートの敷設後に上下層シートに不均等な圧力が掛からないように構成しており、このために、複数形状の遮水シート材を用意してこれを張り合わせたり、遮水シートの製作に特製の部材を使用していることが多く、結果的に製造コストの高騰と施工期間の延長という根本的な問題点を抱えていた。
【０００６】
【発明が解決しようとする課題】
本発明は、上記の問題点に鑑みてその解消のために提案するものであり、遮水シート材を単一にすると共に施工現場での単純作業に徹することで品質の確保を図りながら製造コストの低減と工期の短縮を達成する廃棄物処分場の遮水シートとその施工法を提供している。
【０００７】
【課題を解決するための手段】
本発明による廃棄物処分場の遮水シートは、不透水性の単一下層シート、下層シートに複数を平行に配置して一側片を下層シートに接合すると共に他側片を隣接同士で接合する不透水性の上層シート、上層シートの下層シートとの接合部と上層シートの隣接同士の接合部間に形成される複数の流れ隔壁、流れ隔壁間に配置されて外力による破損を防止するための中間材、下層シートと上層シートとの側面端部を接合して構成される平行な複数の区分域、隣接する流れ隔壁同士の対角位置に形成されて区分域を連通する開口及び最初の区分域と最終の区分域に在って下層シートに設置される送還配管口から構成され、下層シートに設置される送還配管口が、最初の区分域および最後の区分域それぞれの開口との対角線上に配置されることを特徴としており、遮水シートを単一のシート材で済ますことによって、品質の確保を図りながら製造コストの低減と工期の短縮を達成している。
【０００８】
本発明による廃棄物処分場の遮水シートの施工法は、上記廃棄物処分場の遮水シートを施工する施工法であって、送還配管口を設置する不透水性の単一下層シートに複数の不透水性の上層シートを平行に配列し、上層シートの一側片を下層シートに接合し、接合した上層シートと下層シートとの間に外力による破損を防止するための中間材を配置した後に上層シートの他側片を若干の余裕を持たせながら隣接する上層シートに接合することで平行な複数の流れ隔壁を形成するとともに、隣接する流れ隔壁同士の対角位置に開口を形成し、しかる後に下層シートと上層シートの側面端部を接合して連通する複数の区分域を構成しており、遮水シートを単一のシート材で製造すると共に施工現場での切断のような単純作業に徹することで品質の確保を図りながら施工コストの低減と工期の短縮を確立している。
【０００９】
【発明の実施の形態】
本発明による廃棄物処分場の遮水シートは、不透水性の単一下層シート、下層シートに複数を平行に配置して一側片を下層シートに接合すると共に他側片を隣接同士で接合する不透水性の上層シート、上層シートの下層シートとの接合部と上層シートの隣接同士の接合部間に形成される複数の流れ隔壁、流れ隔壁間に配置されて外力による破損を防止するための中間材、下層シートと上層シートとの側面端部を接合して構成される平行な複数の区分域、隣接する流れ隔壁同士の対角位置に形成されて区分域を連通する開口及び最初の区分域と最終の区分域に在って下層シートに設置される送還配管口から構成され、下層シートに設置される送還配管口が、最初の区分域および最後の区分域それぞれの開口との対角線上に配置されている。以下に、本発明による廃棄物処分場の遮水シートに関する実施の形態を、図面に基づいて詳細に説明する。
【００１０】
図１は、本発明による遮水シートの実施の形態を示しており、一部を破断した平面図（ａ）と平面図（ａ）を（ｂ）−（ｂ）矢視した断面図（ｂ）である。
【００１１】
本発明による遮水シート１は、不透水性の下層シート２と上層シート３から構成され、中間に平行な複数の区分空間４を形成する二重構造を形成しており、各区分空間４の間に形成される流れ隔壁５には、隣接する流れ隔壁５同士の関係において対角位置に形成されて各区分空間４を結合する開口６を設けることで、各区分空間４を連続して結合する一連の流路を構成している。
【００１２】
又、遮水シート１の一側片に在る区分空間７の下層シート２には、送流配管口８が設置されており、上記一側片に在る区分空間７に対峙して遮水シート１の他側片に在る区分空間９の下層シート２には、還流配管口１０が設置されている。送流配管口８は、区分空間７を区画する流れ隔壁５の開口６と対角線上に配置され、また還流配管口１０は、区分空間９を区画する流れ隔壁５の開口６と対角線上に配置される。
【００１３】
これらの構成によって、遮水シート１の破損部を検知するために送流配管口８から遮水シート１に注入される液体は、遮水シート１の一側片に在る区分空間７から全ての区分空間４を交互方向に蛇行しながら、遮水シート１の他側片に在る区分空間９に到達し、区分空間９に設けられた還流配管口１０から送出されて、廃棄物処分場の管理システムに戻ることになる。
【００１４】
本実施の形態では、下層シート２が、シート材１１が卷回されているロールから繰り出して切断した同一形状の複数枚を、図１（ａ）の左右方向に接合することで所定の大きさに形成されており、上層シート３も、下層シート２と同一のロールから繰り出された同じ長さのシート材１１を使用している。
【００１５】
上層シート３の形成は、シート材１１の一側片を下層シート２に接合すると共に、シート材１１の他側片を隣接して上層シート３を構成するシート材１１に接合することで構成されるものであり、シート材１１の一部で流れ隔壁５を確立しながら区分空間４を形成している。
【００１６】
形成された区分空間４には、廃棄物の埋め立て作業中や埋め立て完了後に外力で遮水シートが破損するのを防止すべく第１中間材１２を配置しており、遮水シートから外部に汚水を漏出させないようにしている。
【００１７】
又、隣接する各区分空間４を図示のように対角位置で連通する開口６は、図２の部分断面図が示すように、流れ隔壁５に切削加工で形成されるものであり、開口６内にも第２中間材１３を挿通することで開口６からの流通を確実にしている。
【００１８】
以上のように、本発明による廃棄物処分場の遮水シートは、単一のシート材１１を用いる切削加工の採用で品質の確保を図りながら製造コストの低減と工期の短縮を達成している。
【００１９】
次ぎに、本発明による廃棄物処分場の遮水シートの施工法について説明する。本発明の施工法は、上記廃棄物処分場の遮水シートを施工するものであり、送還配管口を設置する不透水性の単一下層シートに複数の不透水性の上層シートを平行に配列し、上層シートの一側片を下層シートに接合し、接合した上層シートと下層シートとの間に外力による破損を防止するための中間材を配置した後に上層シートの他側片を若干の余裕を持たせながら隣接する上層シートに接合することで平行な複数の流れ隔壁を形成するとともに、隣接する流れ隔壁同士の対角位置に開口を形成し、しかる後に下層シートと上層シートの側面端部を接合して連通する複数の区分域を構成している。以下に、本発明の施工法に関する実施の形態を、その施工順序に従った図面に基づいて詳細に説明する。
【００２０】
図３は、本実施の形態における下層シートと上層シートの一部加工状態を示している。
【００２１】
本実施の形態における下層シート２は、施工される廃棄物処分場において製作している。下層シート２の製作は、現場に搬入されたロールから卷回されているシート材１１を繰り出して切断することから開始され、所定長さの同一形状に切断された複数のシート材１１は、図３（ａ）のようにその側面間をシート溶着機械１５で相互に接合して行くことによって一枚ものに加工されている。
【００２２】
図３（ｂ）は、上層シート３の加工状態を示している。上層シート３は、下層シート２と同一のロールから繰り出したシート材１１を下層シート２と同一形状に切断して、下層シート２の上に順次に重ね合わせて配列するものであり、次いで、シート材１１の一側片１６を、図示のようにシート溶着機械１５で下層シート２に接合することで、流れ隔壁５の下部を形成している。
【００２３】
図４は、本実施の形態における上層シートの残り部分を加工する状態を示している。
【００２４】
本工程にあっては、図４（ａ）のように下層シート２に上層シート３のシート材１１の一側片１６を接合して形成された流れ隔壁５、５の下部間に第１中間材１２を設置しており、矢印のように上層シート３を構成するシート材１１の開放されている他側片１７から挿入されている。
【００２５】
上層シート３と区分空間４の形成は、図４（ｂ）に示すように上層シート３を構成しているシート材１１の他側片１７と流れ隔壁５を形成する側の隣接するシート材１１とを、上方に持ち上げながらシート溶着機械１５で相互間を接合することによって、流れ隔壁５の上部１８（図５（ａ）参照）を形成すると同時に若干の余裕を持たせた状態で加工している。
【００２６】
尚、シート溶着機械１５を使用する場合には、必要に応じて設置した第１中間材１２の上に反力用シート２１を配置してシート溶着機械１５を安定的に設置させることができる。
【００２７】
図５は、本実施の形態における開口の形成工程であり、上層シートを構成しているシート材に対する開口の切削加工を示す断面図（ａ）と形成された開口に第２中間材を設置する工程の断面図（ｂ）及び下層シートと上層シートの側面端部を接合して複数の区分域を構成する工程の断面図（ｃ）を示している。
【００２８】
図５（ａ）は、開口部分を示す下層シートと上層シート及び区分空間の断面図である。
【００２９】
開口６の加工は、内部に第１中間材１２を配置している区分空間４に流れ隔壁５の上部１８と上層シート３とに若干の余裕を持たせてあるので、これを利用することによって開放されている上層シート３の側面端部１９側からの施工がなされる。
【００３０】
しかして、開口６は、流れ隔壁５の上部１８で第１中間材１２の上端位置と上層シート３の側面端部１９の近傍付近において、隣接する区分空間４と連通する対角位置に切削加工している。
【００３１】
図５（ｂ）は、開口に第２中間材を挿通して設置する工程を示す断面図であり、開口６には、第２中間材１３を設置している。
【００３２】
第２中間材１３は、区分空間４の内部には第１中間材１２を配置していることから、第１中間材１２をガイドにして流れ隔壁５の開口６に挿通させている。このために、開口６が形成されている上層シート３は、他の部分より突出する形態で構成されるが、この部分には、中間材１２、１３が重畳して配置されているので、強度的な問題は解決している。
【００３３】
図５（ｃ）は、下層シートと上層シートの側面端部を接合することで、複数の区分域を構成する工程を示す断面図である。
【００３４】
本工程では、上層シート３の側面端部１９と下層シート２の側面端部２０を合わせて、図示のようにシート溶着機械１５で相互間を接合封印することで、複数の区分空間４を最終的に加工している。
【００３５】
そして、遮水シート１の一側片に在る区分空間７の下層シート２には、送流配管口８を設置しており、上記一側片に在る区分空間７に対峙して遮水シート１の他側片に在る区分空間９の下層シート２には、還流配管口１０を設置しているが、その設置は、下層シート２に対して最初に行うか遮水シート１の接合封印後に取り付けても任意である。
【００３６】
以上の実施の形態のように、本発明による廃棄物処分場の遮水シートの施工法は構成されているので、遮水シートは、単一のシート材で製造されると共に施工現場での切断のような単純作業に徹することで品質の確保を図りながら施工コストの低減と工期の短縮を達成している。
【００３７】
以上、本発明による廃棄物処分場の遮水シートとその施工法を、上記実施の形態に基づいて詳細に説明したが、本発明は、これらの実施の形態に何ら限定されるものでなく、遮水シートや中間材の具体的な構造や材質に関して、発明の主旨を逸脱しない範囲において各種の変更が可能であることは当然のことである。
【００３８】
【発明の効果】
本発明による廃棄物処分場の遮水シートは、不透水性の単一下層シート、下層シートに複数を平行に配置して一側片を下層シートに接合すると共に他側片を隣接同士で接合する不透水性の上層シート、上層シートの下層シートとの接合部と上層シートの隣接同士の接合部間に形成される複数の流れ隔壁、流れ隔壁間に配置されて外力による破損を防止するための中間材、下層シートと上層シートとの側面端部を接合して構成される平行な複数の区分域、隣接する流れ隔壁同士の対角位置に形成されて区分域を連通する開口及び最初の区分域と最終の区分域に在って下層シートに設置される送還配管口から構成され、下層シートに設置される送還配管口が、最初の区分域および最後の区分域それぞれの開口との対角線上に配置されているので、遮水シートを単一のシート材で済ますことによって、品質の確保を図りながら製造コストの低減と工期の短縮を達成できる効果を発揮している。
【００３９】
本発明による廃棄物処分場の遮水シートの施工法は、上記遮水シートを施工する施工法であって、送還配管口を設置する不透水性の単一下層シートに複数の不透水性の上層シートを平行に配列し、上層シートの一側片を下層シートに接合し、接合した上層シートと下層シートとの間に外力による破損を防止するための中間材を配置した後に上層シートの他側片を若干の余裕を持たせながら隣接する上層シートに接合することで平行な複数の流れ隔壁を形成するとともに、隣接する流れ隔壁同士の対角位置に開口を形成し、しかる後に下層シートと上層シートの側面端部を接合して連通する複数の区分域を構成しているので、遮水シートを単一のシート材で製造すると共に施工現場での切断のような単純作業に徹することで品質の確保を図りながら施工コストの低減と工期の短縮を確立できる効果を発揮している。
【図面の簡単な説明】
【図１】  本発明による廃棄物処分場の遮水シートの実施の形態図
【図２】  本発明による廃棄物処分場の遮水シートの開口における実施の形態図
【図３】  本発明による廃棄物処分場の遮水シートの施工法における下層シートと上層シートの一部を加工する工程の実施の形態図
【図４】  本発明による廃棄物処分場の遮水シートの施工法における上層シートの残り部分を加工する工程の実施の形態図
【図５】  本発明による廃棄物処分場の遮水シートの施工法における開口の形成工程を示す実施の形態図
【符号の説明】
１  遮水シート、２  下層シート、３  上層シート、４  区分空間、５  流れ隔壁、
６  開口、７、９  区分空間、８  送流配管口、１０  環流配管口、１１  シート材、
１２、１３  中間材、１５  シート溶着機械、１６  一側片、１７  他側片、
１８  上部、１９、２０  側面端部、２１  反力用シート
【図１】
0003898080.tif 000002
【図２】
0003898080.tif 000003
【図３】
0003898080.tif 000004
【図４】
0003898080.tif 000005
【図５】
0003898080.tif 000006